(57)【要約】【課題】全体の剛性が高く、組立や取付等の面倒も少なくしてコストダウンを図れる上、リレーやヒューズ等の電気部品からの電線の配索を、無駄な長さを少なくしながら自由に行なうことができるようにした電気接続箱を提供すること。【解決手段】接続箱本体１０の一方側に、電気部品を収納するための電気部品専用収納部２１を確保すると共に、他方側に、外部のワイヤハーネスを貫通状態で配備するための両端が開口した筒形のワイヤハーネス専用収納部２２を確保し、電気部品専用収納部とワイヤハーネス専用収納部との境界部に、電気部品に接続された電線をワイヤハーネス専用収納部側へ導くための通路２６を、ワイヤハーネス専用収納部２２の長手方向に間口を広げた幅広の開口として確保した。【選択図】図１
2008104255.tif 000002
【特許請求の範囲】
【請求項１】
接続箱本体の一方側に、電気部品を収納するための電気部品専用収納部を確保すると共に、前記接続箱本体の他方側に、外部のワイヤハーネスを貫通状態で配備するための両端が開口した筒形のワイヤハーネス専用収納部を確保し、前記電気部品専用収納部と前記ワイヤハーネス専用収納部との境界部に、前記電気部品に電気的に接続された電線を前記ワイヤハーネス専用収納部側へ導くための通路を、前記ワイヤハーネス専用収納部の長手方向に間口を広げた幅広の開口として確保した電気接続箱であって、
前記外部のワイヤハーネスおよび前記電線を含むワイヤハーネスだけが部分的に前記ワイヤハーネス専用収納部内に配置されていることを特徴とする電気接続箱。
【請求項２】
前記電気部品専用収納部と前記ワイヤハーネス専用収納部が、前記接続箱本体の水平面内における一方側と他方側に配置されていることを特徴とする請求項１に記載した電気接続箱。
【請求項３】
前記接続箱本体が、互いに結合可能な上ケースと下ケースに分割されており、前記上ケースに、前記電気部品専用収納部の上半部と前記ワイヤハーネス専用収納部の上半部が形成されると共に、前記下ケースに、前記電気部品専用収納部の下半部と前記ワイヤハーネス専用収納部の下半部が形成され、前記上ケースの外周縁と前記下ケースの外周縁に前記上ケースと前記下ケースをロックするロック機構が設けられていることを特徴とする請求項２に記載した電気接続箱。
【請求項４】
前記電気部品専用収納部が平面視四角形に形成され、当該平面視四角形の電気部品専用収納部を画成する１つの側壁の外側に位置するように前記ワイヤハーネス専用収納部が配置されており、当該ワイヤハーネス専用収納部の上壁と前記側壁とが、該側壁の全長に亘って連続した断面視略Ｌ字形の壁板で構成され、当該断面視略Ｌ字形の壁板のコーナー部に該壁板と一体のリブが、前記ワイヤハーネス専用収納部の長手方向に間隔をおいて複数形成されていることを特徴とする請求項３に記載した電気接続箱。
【請求項５】
請求項１〜４のいずれか一項に記載した電気接続箱の前記電気部品専用収納部に前記電気部品を収納すると共に、前記ワイヤハーネス専用収納部に外部のワイヤハーネスを貫通状態で配索し、前記電気部品に電気的に接続された前記電線を、前記電気部品専用収納部と前記ワイヤハーネス専用収納部の間に確保した前記通路を通して、前記ワイヤハーネス専用収納部側へ導き入れ、前記ワイヤハーネス専用収納部の両端の開口のうち少なくとも一方から外部へ引き出したことを特徴とする電気接続箱におけるワイヤハーネス配索構造。
【発明の詳細な説明】
【技術分野】
【０００１】
本発明は、自動車等の車両に搭載される電気接続箱、および該電気接続箱におけるワイヤハーネス配索構造に関する。
【背景技術】
【０００２】
リレーボックスやヒューズボックス等の電気接続箱（「エレクトリック・ジャンクション・ブロック」とも呼ばれる）を車両に搭載する場合、電気接続箱から引き出された電線の方向性を規定したり、引き出された電線部分を保護したりする目的で、電気接続箱の電線引出口にプロテクタを設けることが行なわれている。
【０００３】
例えば、特許文献１には、接続箱本体のロアカバーの底部に設けた開口部（電線引出口）に、ハーネス導出用の略管状のプロテクタを連結して設け、接続箱本体からプロテクタを経て、ワイヤハーネスを外部に導き出せるようにした電気接続箱が開示されている。
【０００４】
【特許文献１】特開２００５−３０４１３４号公報
【発明の開示】
【発明が解決しようとする課題】
【０００５】
ところで、従来の電気接続箱では、別に製作したプロテクタを接続箱本体に連結するようにしているので、全体の剛性が低い上に、組立や取付等の面倒もあってコスト高になるという問題があった。また、リレーやヒューズ等の電気部品に接続された電線を、束状にまとめて、狭い開口部からプロテクタの中に導き入れる必要があるため、電線の配索に自由度が少なく、余分な長さの電線も増えるといった問題があった。
【０００６】
本発明は、上述した事情に鑑みてなされたものであり、その目的は、全体の剛性が高く、組立や取付等の面倒も少なくしてコストダウンを図れる上、リレーやヒューズ等の電気部品からの電線の配索を、無駄な長さを少なくしながら自由に行なうことができるようにした電気接続箱、および該電気接続箱におけるワイヤハーネス配索構造を提供することにある。
【課題を解決するための手段】
【０００７】
前述した目的を達成するため、本発明に係る電気接続箱は、下記（１）〜（４）を特徴としている。
（１）  接続箱本体の一方側に、電気部品を収納するための電気部品専用収納部を確保すると共に、前記接続箱本体の他方側に、外部のワイヤハーネスを貫通状態で配備するための両端が開口した筒形のワイヤハーネス専用収納部を確保し、前記電気部品専用収納部と前記ワイヤハーネス専用収納部との境界部に、前記電気部品に電気的に接続された電線を前記ワイヤハーネス専用収納部側へ導くための通路を、前記ワイヤハーネス専用収納部の長手方向に間口を広げた幅広の開口として確保した電気接続箱であって、
前記外部のワイヤハーネスおよび前記電線を含むワイヤハーネスだけが部分的に前記ワイヤハーネス専用収納部内に配置されていること。
（２）  上記（１）の構成の電気接続箱において、
前記電気部品専用収納部と前記ワイヤハーネス専用収納部が、前記接続箱本体の水平面内における一方側と他方側に配置されていること。
（３）  上記（２）の構成の電気接続箱において、
前記接続箱本体が、互いに結合可能な上ケースと下ケースに分割されており、前記上ケースに、前記電気部品専用収納部の上半部と前記ワイヤハーネス専用収納部の上半部が形成されると共に、前記下ケースに、前記電気部品専用収納部の下半部と前記ワイヤハーネス専用収納部の下半部が形成され、前記上ケースの外周縁と前記下ケースの外周縁に前記上ケースと前記下ケースをロックするロック機構が設けられていること。
（４）  上記（３）の構成の電気接続箱において、
前記電気部品専用収納部が平面視四角形に形成され、当該平面視四角形の電気部品専用収納部を画成する１つの側壁の外側に位置するように前記ワイヤハーネス専用収納部が配置されており、当該ワイヤハーネス専用収納部の上壁と前記側壁とが、該側壁の全長に亘って連続した断面視略Ｌ字形の壁板で構成され、当該断面視略Ｌ字形の壁板のコーナー部に該壁板と一体のリブが、前記ワイヤハーネス専用収納部の長手方向に間隔をおいて複数形成されていること。
また、上述した目的を達成するため、本発明に係る電気接続箱におけるワイヤハーネス配索構造は、上記（１）〜（４）のいずれかの電気接続箱の前記電気部品専用収納部に前記電気部品を収納すると共に、前記ワイヤハーネス専用収納部に外部のワイヤハーネスを貫通状態で配索し、前記電気部品に電気的に接続された前記電線を、前記電気部品専用収納部と前記ワイヤハーネス専用収納部の間に確保した前記通路を通して、前記ワイヤハーネス専用収納部側へ導き入れ、前記ワイヤハーネス専用収納部の両端の開口のうち少なくとも一方から外部へ引き出したことを特徴とする。
【０００８】
上記（１）の構成の電気接続箱によれば、電気接続箱の脇をワイヤハーネスが通過するというような場面で、ワイヤハーネスを電気部品と一緒に電気接続箱の中に収容することができるので、ワイヤハーネスを保護するためのプロテクタ（ワイヤハーネス専用の収納部品）を電気接続箱と別体に用意する必要がなく、従って、プロテクタを別に用意する場合と比べて、組立や取付の面倒を少なくできて、コストの低減が図れる。また、接続箱本体の中に一体に電気部品専用収納部とワイヤハーネス専用収納部とを設けているので、全体の剛性を高めることができて、強度上の信頼性の向上が図れる。
また、上記（１）の構成の電気接続箱では、電気部品専用収納部とワイヤハーネス専用収納部との境界部に、電気部品に接続された電線をワイヤハーネス専用収納部側へ導くための通路を確保しているので、電気部品専用収納部側の電気部品に接続された電線をワイヤハーネス専用収納部に通す場合に、例えば一旦外部に引き出してＵターンさせてからワイヤハーネス専用収納部に通す、といった面倒な操作を行なわずに、直接ワイヤハーネス専用収納部側に通すことができる。そのため、Ｕターンさせる場合には大きな余長が生じて無駄が多くなるが、その余長分を無くすことができ、無駄を省けてコスト低減を図れる。
また、上記（１）の構成の電気接続箱では、前記通路を、ワイヤハーネス専用収納部の長手方向に間口を広げた幅広の開口として確保しているので、電気部品に接続された電線を、無理に曲げたりせずに、ばらけた状態の自然のままの形で、ワイヤハーネス専用収納部の中に導き入れて、両端の開口から必要な方向へ向けて外部に導き出することができる。従って、電線の長さの無駄を極力省けると共に、従来のように狭い導出口（開口部）から多くの電線を束状にまとめて引き出す場合と比べて、配索の自由度が増し、組立作業がやりやすくなる。
また、上記（１）の構成の電気接続箱によれば、電気部品とワイヤハーネスを、同じ電気接続箱の中の互いに離れた領域に区分して収容することができるので、電気部品とワイヤハーネス（或いは、電気部品に電気的に接続された電線）が、たとえ発熱する場合であっても、相互の熱干渉を極力回避することができ、両者の熱環境を良くすることができる。
また、上記（１）の構成の電気接続箱では、電気接続箱を解体する場合は、ワイヤハーネスを強引に引っ張る等して、ワイヤハーネス専用収納部から破壊を始めることによって全体を破壊することができるので、解体の容易化を図れる。
上記（２）の構成の電気接続箱によれば、電気接続箱の真横をワイヤハーネスが通過するというような場面に適用することができ、電気接続箱とプロテクタ（ワイヤハーネス専用の収納部品）の一体化という部品の単一化によるコスト低減を図ることができる。また、電気部品専用収納部とワイヤハーネス専用収納部が水平方向に並んで配置されているので、電気部品から発生する熱もワイヤハーネスから発生する熱も、それぞれに上方へ逃がすことができる。従って、上昇する熱の影響を相互に受けにくくすることができる。
上記（３）の構成の電気接続箱によれば、上ケースと下ケースを合わせることで、開放状態にある電気部品専用収納部とワイヤハーネス専用収納部を一緒に閉じることができるので、貫通状態で収納するワイヤハーネスや電気部品に接続された電線の配索がしやすい。
上記（４）の構成の電気接続箱によれば、平面視四角形の電気部品専用収納部を画成する１つの側壁の外側に位置させて、ワイヤハーネス専用収納部を配置しており、そのワイヤハーネス専用収納部の上壁と前記側壁とを、該側壁の全長に亘って連続した断面視略Ｌ字形の壁板で構成し、その断面視略Ｌ字形の壁板のコーナー部に該壁板と一体のリブを、ワイヤハーネス専用収納部の長手方向に間隔をおいて複数形成しているので、プロテクタとしての機能を発揮するワイヤハーネス専用収納部が、電気部品専用収納部の側壁から外側に張り出した形で付いているものの、高い剛性を持ってワイヤハーネス専用収納部を支持することができ、それにより、ワイヤハーネスを安定保持するというプロテクタとしての強度性能の強化が図れる。
そして上記構成のワイヤハーネス配索構造によれば、電気部品とワイヤハーネスを同じ電気接続箱の中の互いに離れた領域に区分して収容しているので、電気部品とワイヤハーネス（或いは、電気部品に電気的に接続された電線）がたとえ発熱する場合であっても、相互の熱干渉を極力回避することができ、両者の熱環境を良くすることができる。また、電気部品専用収納部側の電気部品に接続された電線を、前記電気部品専用収納部とワイヤハーネス専用収納部の間に確保した通路を通して直接、ワイヤハーネス専用収納部に導き入れているので、無駄な余長分を極力減らすことができる。また、電気接続箱を解体する場合には、貫通状態で収容したワイヤハーネスを強引に引っ張る等して、ワイヤハーネス専用収納部から破壊を始めることにより全体を破壊することができるので、解体の容易化を図れる。
【発明の効果】
【０００９】
本発明の電気接続箱および該電気接続箱におけるワイヤハーネス配索構造によれば、全体の剛性が高く、組立や取付等の面倒も少なくしてコストダウンを図れる上、リレーやヒューズ等の電気部品からの電線の配索を、無駄な長さを少なくしながら自由に行なうことができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面を参照しながら詳細に説明する。
【００１２】
図１は実施形態の電気接続箱の接続箱本体を示す分解斜視図、図２は図１の接続箱本体の組立状態の斜視図、そして図３はワイヤハーネスや電気部品を組み込んだ電気接続箱をロアカバー（下ケース）を外した状態で下から見上げた平面図である。
【００１３】
この電気接続箱は、合成樹脂の成形品よりなる接続箱本体１０を有している。接続箱本体１０の水平面内における一方側には、リレーやヒューズ等の電気部品（より詳細には、電気部品を装着したカセット式ブロック）を収納するための枠状収納構造を有する電気部品専用収納部２１が設けられると共に、それと領域を分けた他方側には、外部のワイヤハーネスＷ１を貫通状態で配備するための両端が開口した角筒形のワイヤハーネス専用収納部２２が確保されている。このワイヤハーネス専用収納部２２は、ワイヤハーネスＷ１を保護するプロテクタとしての機能を有している。尚、ワイヤハーネスＷ１が電線を含むことは言うまでもない。
【００１４】
接続箱本体１０は、メインカバー（上ケース）１１と、メインカバー１１の下面を覆うように結合されるロアカバー（下ケース）１２と、メインカバー１１の上面を覆うように結合されるアッパーカバー（不図示）と、を備える。メインカバー１１には、電気部品専用収納部２１の上半部２１Ａとワイヤハーネス専用収納部２２の上半部２２Ａとが形成され、そしてロアカバー１２には、電気部品専用収納部２１の下半部２１Ｂとワイヤハーネス専用収納部２２の下半部２２Ｂとが形成されている。
【００１５】
そして、メインカバー１１の外周縁とロアカバー１２の外周縁には、両カバー１１、１２をロックするためのロック機構３１、３２が設けられており、これらロック機構３１、３２でメインカバー１１とロアカバー１２をロックすることにより、閉じた状態の角筒状のワイヤハーネス専用収納部２２の両端に開口２７、２８が形成されるようになっている。ロック機構３２は、具体的には、ロアカバー１２の外周縁に一体成形された可撓板部の外面に該可撓板部の先端を含む外周縁に沿った係止突部を有する可撓係止片部である。また、ロック機構３１は、具体的には、ロック機構３２の可撓係止片部を受け入れられるようにメインカバー１１の外周縁に一体成形された断面視略コ字形本体と、該本体の外壁部から上方に延長する可撓板部の内面に、ロック機構３２と係合した際に係止突部を係止する係止爪と、を有する係止部である。
【００１６】
電気部品専用収納部２１は平面視四角形に形成されており、その平面視四角形の電気部品専用収納部２１を画成する１つの側壁２３の外側に位置するようにワイヤハーネス専用収納部２２が配置されている。この場合、ワイヤハーネス専用収納部２２の上壁２４と前記側壁２３とが、該側壁２３の全長に亘って連続した断面視略Ｌ字形の壁板１１Ａによって構成されており、断面視略Ｌ字形の壁板１１Ａのコーナー部に、壁板１１Ａと一体のリブ２５が、ワイヤハーネス専用収納部２２の長手方向に間隔をおいて複数形成されている。
【００１７】
また、図３に示すように、電気部品専用収納部２１とワイヤハーネス専用収納部２２との境界部には、リレーやヒューズ等の電気部品Ｍに電気的に接続された電線Ｗ２をワイヤハーネス専用収納部２２側へ導くための通路２６が確保されており、その通路が、ワイヤハーネス専用収納部２２の長手方向に間口を広げた幅広の開口として確保されている。電気部品Ｍに電気的に接続された電線Ｗ２は、ワイヤハーネス専用収納部２２内でワイヤハーネスＷ１に合流し並んで配置されるものであって、ワイヤハーネスＷ１とは別のワイヤハーネスを形成するためのものではあるが、ワイヤハーネスＷ１と束ねられてワイヤハーネスＷ１を部分的に形成するものであってもよいことは言うまでもない。尚、ワイヤハーネス専用収納部２２は、ワイヤハーネス（Ｗ１，Ｗ２）だけを収容する部分として機能する。
【００１８】
この電気接続箱を組み立てる場合は、電気部品専用収納部２１にリレーやヒューズ等の電気部品Ｍを収納すると共に、ワイヤハーネス専用収納部２２に外部のワイヤハーネスＷ１を貫通状態で配索する。また、電気部品Ｍに電気的に接続されて下方へ引き出された電線Ｗ２は、電気部品専用収納部２１とワイヤハーネス専用収納部２２の間に確保してある通路２６を通って、ワイヤハーネス専用収納部２２側へ導かれ、ワイヤハーネス専用収納部２２の両端の開口２７、２８から外部へ引き出される。
【００１９】
この場合の電気部品Ｍの例としては、車載ヒータ、ヘッドランプ、ラジエータ用ファンモータ、コンデンサ用ファンモータ、等といった大きな電気負荷への電力供給線に直列に介在されるリレーやヒューズ等が挙げられる。
【００２０】
以上のように構成したことにより、次の作用効果を得ることができる。
【００２１】
即ち、電気接続箱の真横をワイヤハーネスＷ１が通過するというような場面で、ワイヤハーネスＷ１を電気部品Ｍと一緒に接続箱本体１０の中に収容することができるので、ワイヤハーネスＷ１を保護するためのプロテクタ（ワイヤハーネス専用の収納部品）を接続箱本体１０と別体に用意する必要がなく、従って、プロテクタを別に用意する場合と比べて、組立や取付の面倒を少なくできて、コストの低減が図れる。また、接続箱本体１０の中に一体に電気部品専用収納部２１とワイヤハーネス専用収納部２２とを設けているので、全体の剛性を高めることができて、強度上の信頼性の向上が図れる。
【００２２】
また、電気部品専用収納部２１とワイヤハーネス専用収納部２２との境界部に、電気部品Ｍに電気的に接続された電線Ｗ２をワイヤハーネス専用収納部２２側へ導くための通路２６を確保しているので、電気部品専用収納部２１側の電気部品Ｍに電気的に接続された電線Ｗ２をワイヤハーネス専用収納部２２に通す場合に、図４（ａ）に示すように、通路２６を介して直接、電線Ｗ２をワイヤハーネス専用収納部２２側に通すことができる。
【００２３】
その点、もし、図４（ｂ）に示すように、プロテクタ１２２が電気接続箱１２１の外側に別に配置されている場合は、電気接続箱１２１から引き出した電線Ｗ２をプロテクタ１２２の内部に通すために、いったん曲げやすい場所まで引き出してから、Ｕターン（Ｕターン部を符号Ｕで示す）させて、プロテクタ１２２に通すことになる。従って、Ｕターンさせる分だけ余長が大きくなる上、配索の面倒が生じることになるが、本発明では、そのような面倒な操作を行なわずに、直接ワイヤハーネス専用収納部側に通すことができるために、無駄な手間や余長を省略してコスト低減が図れる。
【００２４】
また、前記の通路２６は、ワイヤハーネス専用収納部２２の長手方向に間口を広げた幅広の開口として確保してあるので、電気部品Ｍに電気的に接続された電線Ｗ２を、無理に曲げたりせずに、ばらけた状態の自然のままの形で、ワイヤハーネス専用収納部２２の中に導き入れて、両端の開口２７、２８のいずれか一方或いは両方から必要な方向へ向けて外部に導き出すことができる。従って、電線Ｗ２の長さの無駄を極力省けると共に、従来のように狭い導出口（開口部）から多くの電線を束状にまとめて引き出す場合と比べて、配索の自由度が増し、組立作業がやりやすくなる。
【００２５】
また、電気部品ＭとワイヤハーネスＷ１を、同じ接続箱本体１０の中の互いに離れた領域に区分して収容することができるので、電気部品ＭとワイヤハーネスＷ１（或いは、電気部品Ｍに電気的に接続された電線Ｗ２）が、たとえ発熱する場合であっても、相互の熱干渉を極力回避することができ、両者の熱環境を良くすることができる。
【００２６】
特に、電気部品専用収納部２１とワイヤハーネス専用収納部２２が水平方向に並んで配置されているので、電気部品Ｍから発生する熱もワイヤハーネスＷ１から発生する熱も、それぞれに上方へ逃がすことができ、従って、上昇する熱の影響を相互に受けにくくすることができる。
【００２７】
また、接続箱本体１０を解体する場合は、ワイヤハーネスＷ１を強引に引っ張る等して、ワイヤハーネス専用収納部２２から破壊を始めることによって全体を破壊することができるので、解体の容易化を図れる。
【００２８】
また、上記実施形態によれば、上ケース１１と下ケース１２を合わせることで、開放状態にある電気部品専用収納部２１とワイヤハーネス専用収納部２２を一緒に閉じることができるので、貫通状態で収納するワイヤハーネスＷ１や電気部品Ｍに接続された電線Ｗ２の配索がしやすい。
【００２９】
また、平面視四角形の電気部品専用収納部２１を画成する１つの側壁２３の外側に位置させて、ワイヤハーネス専用収納部２２を配置しており、そのワイヤハーネス専用収納部２２の上壁２４と前記側壁２３とを、該側壁２３の全長に亘って連続した断面視略Ｌ字形の壁板１１Ａで構成し、その断面視略Ｌ字形の壁板１１Ａのコーナー部に該壁板１１Ａと一体のリブ２５を、ワイヤハーネス専用収納部２２の長手方向に間隔をおいて複数形成しているので、プロテクタとしての機能を発揮するワイヤハーネス専用収納部２２が、電気部品専用収納部２１の側壁２３から外側に張り出した形で付いているものの、高い剛性を持ってワイヤハーネス専用収納部２２を支持することができ、それにより、ワイヤハーネスＷ１を安定保持するというプロテクタとしての強度性能の強化が図れる。
【００３０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３１】
【図１】本発明の実施形態の電気接続箱の接続箱本体を示す分解斜視図である。
【図２】図１の接続箱本体の組立状態の斜視図である。
【図３】ワイヤハーネスや電気部品を組み込んだ電気接続箱を、下カバー（下ケース）を外した状態で下から見上げた平面図である。
【図４】本発明の実施形態（ａ）と比較例（ｂ）における電線Ｗ２の配索の違いを示す下面図である。
【符号の説明】
【００３２】
１０：接続箱本体
１１：メインカバー（上ケース）
１１Ａ：断面視略Ｌ字形の壁板
１２：ロアカバー（下ケース）
２１：電気部品専用収納部
２２：ワイヤハーネス専用収納部
２３：側壁
２４：上壁
２５：リブ
２６：通路
２７，２８：開口
３１，３２：ロック機構
Ｗ１：ワイヤハーネス
Ｗ２：電線
【図１】
2008104255.tif 000003
【図２】
2008104255.tif 000004
【図３】
2008104255.tif 000005
【図４】
2008104255.tif 000006